(57)【要約】    【課題】  ピント精度を向上させながら、撮影記録を確実に行うことができるカメラを提供する。    【解決手段】  撮像制御用ＭＣＵ３０４は、モードダイヤル５５５で選択された撮影モードに応じて、許可する測距方式を選択する（ステップＳ１０３）。ここで、ハイブリッド方式の測距が選択された場合、撮像制御用ＭＣＵ３０４は、撮影条件に応じて、撮影記録方式を選択する（ステップＳ１０６）。ここで、現在の撮影モードが「全自動」であり、撮影条件が「動体か、絞りＦ１１以上か、焦点距離３５ｍｍ以下」の場合、第１の測距後、第１の撮影記録を行う記録方式が選択される。これに対し、撮影条件が上記条件以外の場合、第１の測距および第１の撮影記録と、第２の測距および第２の撮影記録とを行う撮影記録方式が選択される。【選択図】      図７
2005352163.tif 000002
【特許請求の範囲】
【請求項１】
第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラにおいて、
前記第１の測距手段による測距後、前記第１の測距手段により得られた合焦位置情報に基づいて前記レンズ駆動手段を介して前記撮影レンズを移動し、撮影記録を行う第１の撮影記録手段と、
前記第２の測距手段による測距後または測距中に、前記第２の測距手段により得られた合焦位置情報に基づいて前記レンズ駆動手段を介して前記撮影レンズを移動し、撮影記録を行う第２の撮影記録手段と、
前記第１の撮影記録手段と前記第２の撮影記録手段との少なくとも一方による撮影記録を実行するように制御する制御手段と
を備えることを特徴とするカメラ。
【請求項２】
前記制御手段は、前記第１の測距手段と前記第２の測距手段との少なくとも一方による測距を許可する測距方式許可手段と、前記測距方式許可手段により前記第１の測距手段と前記第２の測距手段との両方による測距が許可された際に、所定の条件に応じて前記第１の撮影記録手段のみによる記録撮影を行うか、前記第１の撮影記録手段と前記第２の撮影記録手段との両方による撮影記録を行うかを選択する撮影記録方式選択手段と、前記撮影記録方式選択手段により前記第１の撮影記録手段と前記第２の撮影記録手段との両方による撮影記録を行うことが選択された場合、前記第１の撮影記録手段により得られた撮影画像と前記第２の撮影記録手段により得られた撮影画像とのうち、いずれか一方の撮影画像を有効にすることを特徴とする請求項１記載のカメラ。
【請求項３】
前記撮影記録方式選択手段は、前記撮影レンズの焦点距離が予め設定されている焦点距離以下の場合、前記第１の撮影記録手段のみによる撮影記録を行うことを選択し、前記撮影レンズの焦点距離が予め設定されている焦点距離を超える場合、前記第１の撮影記録手段と前記第２の撮影記録手段との両方による撮影記録を行うことを選択することを特徴とする請求項２記載のカメラ。
【請求項４】
前記撮影記録方式選択手段は、前記撮影レンズの撮影時の絞り値が予め設定されている絞り値以下の場合、前記第１の撮影記録手段と前記第２の撮影記録手段との両方による撮影記録を行うことを選択し、前記撮影レンズの撮影時の絞り値が予め設定されている絞り値を超える場合、前記第１の撮影記録手段のみによる撮影記録を行うことを選択することを特徴とする請求項２記載のカメラ。
【請求項５】
前記撮影記録方式選択手段は、被写体が動体でない場合、前記第１の撮影記録手段と前記第２の撮影記録手段との両方による撮影記録を行うことを選択し、前記被写体が動体である場合、前記第１の撮影記録手段のみによる撮影記録を行うことを選択することを特徴とする請求項２記載のカメラ。
【請求項６】
前記制御手段の前記測距方式許可手段は、撮影モードに応じて前記第１の測距手段と前記第２の測距手段との少なくとも一方による測距を許可することを特徴とする請求項２記載のカメラ。
【請求項７】
第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラにおいて、
前記第１の測距手段による測距後、前記第１の測距手段により得られた合焦位置情報に基づいて前記レンズ駆動手段を介して前記撮影レンズを移動し、撮影記録を行う第１の撮影記録手段と、
前記第２の測距手段による測距後または測距中に、前記第２の測距手段により得られた合焦位置情報に基づいて前記レンズ駆動手段を介して前記撮影レンズを移動し、撮影記録を行う第２の撮影記録手段と、
前記第１の撮影記録手段により得られた撮影画像と前記第２の撮影記録手段により得られた撮影画像とのうち、いずれか一方の画像を有効な画像として選択する画像選択手段と
を備えることを特徴とするカメラ。
【請求項８】
前記第１の撮影記録手段により得られた撮影画像のコントラストと前記第２の撮影記録手段により得られた撮影画像のコントラストとを比較するコントラスト比較手段とを備え、
前記画像選択手段は、前記コントラスト比較手段の比較結果に基づいてコントラストが高い方の撮影画像を有効な画像として選択して記録し、コントラストが低い方の撮影画像を消去することを特徴とする請求項７記載のカメラ。
【請求項９】
前記第１の撮影記録手段により得られた撮影画像のコントラストと前記第２の撮影記録手段により得られた撮影画像のコントラストとを比較するコントラスト比較手段を備え、
前記画像選択手段は、前記コントラスト比較手段の比較結果に基づいて、コントラストが高い方の撮影画像を有効な画像として選択して記録し、コントラストが低い方の撮影画像を前記コントラストが高い撮影画像と識別可能に記録することを特徴とする請求項７記載のカメラ。
【請求項１０】
画像を記録するための複数の記録媒体を備え、
前記画像選択手段は、前記コントラストが高い方の撮影画像と前記コントラストが低い撮影画像とをそれぞれ異なる記録媒体に記録することを特徴とする請求項９記載のカメラ。
【請求項１１】
画像を記録するための１つの記録媒体を備え、
前記画像選択手段は、前記コントラストが高い方の撮影画像と前記コントラストが低い撮影画像とを前記記録媒体内に作成された異なるフォルダにそれぞれ記録することを特徴とする請求項９記載のカメラ。
【請求項１２】
前記第１の撮影記録手段により得られた撮影画像と前記第２の撮影記録手段により得られた撮影画像とを並列して表示する表示手段と、
前記表示手段に表示された撮影画像のそれぞれに対して必要な画像であるか不要な画像であるかを指定する指定手段とを備え、
前記画像選択手段は、前記指定手段による指定内容に応じて、前記第１の撮影記録手段により得られた撮影画像と前記第２の撮影記録手段により得られた撮影画像とのうち、いずれか一方の撮影画像を有効な撮影画像として選択することを特徴とする請求項７記載のカメラ。
【請求項１３】
前記第１の撮影記録手段により得られた撮影画像と前記第２の撮影記録手段により得られた撮影画像との同一性を判別する判別手段を備え、
前記判別手段により前記第１の撮影記録手段により得られた撮影画像と前記第２の撮影記録手段により得られた撮影画像とに同一性があると判別された場合、前記コントラスト比較手段によるコントラストの比較が行われることを特徴とする請求項８記載のカメラ。
【請求項１４】
前記第１の撮影記録手段により得られた撮影画像と前記第２の撮影記録手段により得られた撮影画像との同一性を判別する判別手段を備え、
前記判別手段により前記第１の撮影記録手段により得られた撮影画像と前記第２の撮影記録手段により得られた撮影画像とに同一性がないと判別された場合、前記表示手段による表示が行われることを特徴とする請求項１２記載のカメラ。
【請求項１５】
第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラの撮影記録方法において、
前記第１の測距手段による測距後、前記第１の測距手段により得られた合焦位置情報に基づいて前記レンズ駆動手段を介して前記撮影レンズを移動し、撮影記録を行う第１の撮影記録と、前記第２の測距手段による測距後または測距中に、前記第２の測距手段により得られた合焦位置情報に基づいて前記レンズ駆動手段を介して前記撮影レンズを移動し、撮影記録を行う第２の撮影記録との少なくとも一方を実行するように制御することを特徴とする撮影記録方法。
【請求項１６】
第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラの撮影記録方法において、
前記第１の測距手段による測距後、前記第１の測距手段により得られた合焦位置情報に基づいて前記レンズ駆動手段を介して前記撮影レンズを移動し、撮影記録を行う第１の撮影記録と、前記第２の測距手段による測距後または測距中に、前記第２の測距手段により得られた合焦位置情報に基づいて前記レンズ駆動手段を介して前記撮影レンズを移動し、撮影記録を行う第２の撮影記録との両方を実行する撮影記録工程と、
前記第１の撮影記録により得られた撮影画像と前記第２の撮影記録により得られた撮影画像とのうち、いずれか一方の画像を有効な画像として選択する画像選択工程と
を備えることを特徴とする撮影記録方法。
【請求項１７】
第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラを制御するためのプログラムにおいて、
前記第１の測距手段による測距後、前記第１の測距手段により得られた合焦位置情報に基づいて前記レンズ駆動手段を介して前記撮影レンズを移動し、撮影記録を行う第１の撮影記録と、前記第２の測距手段による測距後または測距中に、前記第２の測距手段により得られた合焦位置情報に基づいて前記レンズ駆動手段を介して前記撮影レンズを移動し、撮影記録を行う第２の撮影記録との少なくとも一方を実行するように制御することを特徴とするプログラム。
【請求項１８】
第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラを制御するためのプログラムにおいて、
前記第１の測距手段による測距後、前記第１の測距手段により得られた合焦位置情報に基づいて前記レンズ駆動手段を介して前記撮影レンズを移動し、撮影記録を行う第１の撮影記録と、前記第２の測距手段による測距後または測距中に、前記第２の測距手段により得られた合焦位置情報に基づいて前記レンズ駆動手段を介して前記撮影レンズを移動し、撮影記録を行う第２の撮影記録との両方を実行する撮影記録モジュールと、
前記第１の撮影記録により得られた撮影画像と前記第２の撮影記録により得られた撮影画像とのうち、いずれか一方の画像を有効な画像として選択する画像選択モジュールと
を備えることを特徴とするプログラム。
【発明の詳細な説明】
【技術分野】
【０００１】
本発明は、電子カメラなどのカメラ、撮影記録方法およびプログラムに関する。
【背景技術】
【０００２】
従来、一眼レフタイプのカメラにおいては、ＴＴＬ位相差方式の測距が多くの機種に用いられている。このＴＴＬ位相差方式の測距システムについて図２５を参照しながら説明する。図２５は従来のＴＴＬ位相差方式の測距システムを用いた電子カメラの構成を示すブロック図である。
【０００３】
従来のＴＴＬ位相差方式の測距システムを用いたカメラにおいては、図２５に示すように、レンズ１０１に入射した光が、絞り１０２およびハーフミラー１０３を通過した後、ハーフミラー１０３の後方に位置するサブミラー１０４によって、ＡＦ光学系１２０に向けて反射され、ＡＦセンサ１２２に入射する。撮影時、ハーフミラー１０３とサブミラー１０４は上方に回転して光路内から退避し、シャッタ１０５が開くため、レンズ１０１からの光は、撮像素子１０６上に結像する。そして、撮像素子１０６からの画像信号は、信号処理系１０７に入力される。信号処理系１０７は、システムコントロール部１１０の制御の下で、画像信号を画像記録手段１０８に記録する。
【０００４】
次に、位相差方式の測距システムにおけるハーフミラーからＡＦ光学系に至るまでの構成例について図２６および図２７を参照しながら説明する。図２６は従来の位相差方式の測距システムにおけるハーフミラーからＡＦ光学系に至るまでの構成例を示す模式図、図２７は図２６の位相差方式測距システムにおける測距の原理を説明するための信号の一例を示す図である。
【０００５】
レンズから入射した光は、図２６に示すように、光軸に対してπ／４（ｒａｄ）傾斜したメインミラー（ハーフミラー）１４１を通過し、その後方に位置するサブミラー１４２によって、その下方に向けて反射される。反射された光は、フィルム面に相当する一次ピント面１４３、赤外光をカットするフィルタ１４４、およびフィールドレンズ１４５を経て、メガネレンズと呼ばれる２次光学系のレンズ１４７に導かれて２つの像に分離され、ＡＦセンサ１４８に入射する。
【０００６】
ＡＦセンサ１４８は、図２７に示すように、並べて配置されている２つの撮像面を有する。メガネレンズ１４７により分離された２つの像は、その間隔が合焦状態、前ピン状態、後ピン状態によって異なるものとしてＡＦセンサ１４８上のそれぞれの撮像面に結像される。測距システムにおいては、上記２つの像の間隔が合焦状態の間隔ＺOHになるように、レンズが移動されてピント合わせが行われる。レンズの移動量は、２つの像の間隔から求められた像面の移動量に基づいて算出される。
【０００７】
このように、位相差方式の測距は、合焦用レンズを移動することなく、ピントのズレ方向とズレ量を測定することが可能であるため、測定後に合焦レンズを算出された位置に移動することができ、また、複数回の測距によって、撮影する瞬間の被写体位置を予測することが可能である。よって、運動会や、電車などの動きがあるものに対するスナップ写真では、シャッタボタンを押してから撮影までのタイムラグ（時間遅れ）が短くなり、撮影者が狙った構図や瞬間に対して、ピントが合った写真を撮影することが可能となる。また、撮影の瞬間に被写体がいる位置を予測して合焦レンズを制御するため、動く被写体でも静止した被写体とほぼ変わらないピント精度で撮影が可能となる。
【０００８】
しかしながら、例えば図２５に示す構成においては、一般に、撮影に関連する間隔であるサブミラー１０４と撮像素子１０６との間の光学的距離が、測距に関連する間隔であるサブミラー１０４とＡＦセンサ１２２との間の光学的距離と等しくならず、それらの間には差が生じる。これらの光学的距離の間の差は、カメラ組立調整時に、電気制御的に調整されるが、その後の経時的変化や、温度や湿度による一時的変化によって、その２つの光学的距離の間に新たな差が生じることがある。この新たな差は、ＴＴＬ位相差方式測距による撮影時に写真がピンボケするという問題を発生させる。
【０００９】
この光路が異なることによるピンボケ問題は、今後の電子カメラにおいて解決すべき重要なものとなる。これは、今後、電子カメラの撮像素子に関しては、画面サイズが小さくなるとともに、総画素数が増加するような素子になるため、要求される測距・合焦精度としては、今までの３５mmフィルムを使用した銀塩カメラより、数倍高い精度が要求されるからである。
【００１０】
次に、コントラスト方式の測距について図２８および図２９を参照しながら説明する。図２８は従来のコントラスト方式の測距システムを用いた電子カメラの構成例を示すブロック図、図２９は図２８のコントラスト方式の測距システムにおけるレンズ位置対輝度信号高域成分特性曲線の一例を示す図である。
【００１１】
一般に、デジタルコンパクトカメラなどにおいては、撮像素子の信号の高周波成分によりコントラスト検知を行うコントラスト方式の測距（別名「山登りＡＦ」や、「山登りサーボ式オートフォーカス（自動合焦）システム」）が行われている（例えば特許文献１を参照）。
【００１２】
図２８に示すように、撮影レンズ２０１を通過した光は、ＣＣＤなどの撮像素子２０２上に結像され、この撮像素子２０２からは、それぞれＲ，Ｇ，Ｂ信号が出力される。Ｒ，Ｇ，Ｂ信号は、それぞれ、サンプルホールド／ＡＧＣ回路２０３を経由して、ホワイトバランス／γ回路２０４に入力され、ホワイトバランス／γ回路２０４は、入力されたＲ，Ｇ，Ｂ信号に対してゲイン調整、ガンマ処理をそれぞれ施す。ゲイン調整およびガンマ処理が施された各信号は、さらにマトリクス回路２０５において色差信号と輝度信号とに変換され、それぞれの信号は、ＬＰＦ２０６，２０７，２０８を経てＦＭ変調器２０９においてＦＭ変調される。ＦＭ変調された信号は、記録アンプ２１０により電流に変換された後に、磁気ヘッド２１１により記録媒体上に記録される。ここで、マトリクス回路２０５から取り出された輝度信号は、ＡＦ制御信号発生回路２１２に入力され、ＡＦ制御信号発生回路２１２は、入力された輝度信号に基づいて測距用信号を生成する。
【００１３】
このＡＦ制御信号発生回路２１２を用いた測距方式は、輝度信号の高域成分が合焦時に最大となることを利用したものであり、ＡＦ制御信号発生回路２１２においては、バンドパスフィルタなどにより、入力された輝度信号の高域成分が抽出される。例えば輝度信号の高域成分とレンズの繰出し量との関係が図２９に示すレンズ位置対輝度信号高域成分特性曲線のように表される。同図において、横軸はレンズの繰出し量を、縦軸は高域成分の量をそれぞれ表わす。同図から明らかなように、合焦位置Ｍ３においては、高域成分が最大となり、ピントが大きくずれた位置Ｍ１では、高域成分が小さくなる。
【００１４】
ＡＦ制御信号発生回路２１２により生成された測距用信号は、システムコントローラ２１３に入力される。システムコントローラ２１３は、上記測距用信号に基づいて、輝度信号の高域成分が最大となるように、駆動回路２１６を介してレンズ２０１の繰出し量を制御する。また、合焦位置Ｍ３がどこにあるかを知るために、初めにレンズ２０１を無限遠から至近の位置まで走査する方法と、レンズ２０１の繰出し量を細かく動かすことにより上記特性曲線の傾斜を検出する方法とがある。図２９において、レンズ位置Ｍ１点とＭ２点とを比較すると、レンズ位置Ｍ２における高域成分がレンズ位置Ｍ１における高域成分より大きいため、合焦位置Ｍ３は、レンズ位置Ｍ１点より至近側にあることが分る。
【００１５】
このように、コントラス方式の測距においては、撮像素子で撮像された画像に基づいて測距が行われるので、撮影光学系のレンズや鏡筒の部品誤差や組立誤差、合焦のために駆動するレンズ位置の誤差の影響が無く、ピント精度が高い写真が得られる。
【００１６】
しかしながら、このコントラスト方式の測距では、以下のような問題がある。
【００１７】
合焦位置を知るために、撮影レンズ１を無限遠から至近まで走査するのに時間が掛かるので、迅速な動作を必要とするカメラには不向きである。また、合焦位置から離れた部分においては、高域成分の変化が少ないので、ピントのずれが前ピンなのか後ピンなのか分り難い。
【００１８】
このような特性のため、風景写真や、ポートレート写真のように、動きが少ない被写体を、高いピント精度で撮影することは可能であるが、運動会や、動きがあるものに対するスナップ写真撮影の場合、合焦動作中に被写体が動き、ピントを合わせることができず、または合焦動作が正しく完了せず、ピンぼけになる可能性がある。
【００１９】
次に、ハイブリット方式の測距について説明する。
【００２０】
位相差方式の測距とコントラスト方式の測距のそれぞれの欠点を補い、速い合焦動作と正確な合焦を可能とする方法として、位相差方式測距とコントラスト方式測距の２つの方式を用いたハイブリッド方式の測距が提案されている（例えば特許文献２および３を参照）。ここで、ハイブリッド方式の測距においては、位相差方式の測距を行う手段として、図２５に示すものと同様の手段が設けられている。また、コントラスト方式の測距を行う手段は、図２５の撮像素子１０６で受光した画像のコントラストを評価し、この評価値に基づいて測距を行う機能を信号処理系１０７に設けることによって、構成されている。
【００２１】
この２つの方式を用いたハイブリット方式の測距においては、まず位相差方式の測距で概略のピント合わせが行われ、次に、正確なピント合わせを行うためのコントラスト方式の測距が行われる。このコントラスト方式の測距時には、既に、位相差方式の測距で概略のピント合わせが行われているので、レンズの移動範囲が少なくなる。その結果、総合的合焦動作が速くなり、コントラスト方式の測距のみの場合の短所が改善されることになる。
【００２２】
しかし、このハイブリット方式の測距の場合、位相差式の測距のみの場合と比較すると、まだ総合的合焦速度が遅いため、シャッタボタンの押下から撮影までのタイムラグ（時間遅れ）が長く、撮影者が狙った構図や瞬間の写真撮影を行うことができない場合がある。また、最終的に測距を行うのはコントラスト式の測距であるため、運動会や、動きがあるものに対するスナップ写真撮影において、合焦動作中に被写体が動き、ピントを合わせることができないことがある点は、コントラスト方式の測距のみを行うカメラと同様に生じ、合焦が正しく完了しないという可能性も残る。
【００２３】
また、この従来のハイブリット方式の測距が可能なカメラにおいて、被写体の動きを検知する手段によって、被写体が動体であることが検出された場合、コントラスト方式の測距を禁止して位相差方式の測距のみで撮影するカメラが提案されている。
【００２４】
しかし、このようなハイブリット方式の測距を行うカメラで、子供のように頻繁に動く被写体に対して、レリーズした瞬間、被写体がたまたま静止していた場合、被写体の動きを検知する手段が被写体を静止物体と誤検知し、位相差式の測距が行われた後に、続けてコントラスト方式の測距が開始される。このとき、被写体が再び動きだすと、測距不能になり、写真撮影が不可能となる。その結果、シャッタチャンスを逃がすことになる。
【特許文献１】特開平０５−０６４０５６号公報
【特許文献２】特開２００３−０２９１３５号公報
【特許文献３】特開２０００−７５１９７号公報
【発明の開示】
【発明が解決しようとする課題】
【００２５】
このように、位相差方式の測距の場合は、環境やカメラ内の誤差によりピントが悪い写真が得られる可能性があり、コントラスト方式の測距の場合は、総合的合焦速度が遅く、被写体によっては撮影不可能の場合がある。また、ハイブリット方式の測距の場合は、総合的合焦速度がやや遅く、被写体によっては撮影不可能の場合がある。その結果、現在、電子カメラにおいて、総合的合焦速度の向上と合焦精度の向上とを両立させることは困難である。
【００２６】
一般的に、位相差方式の測距よりコントラスト方式の測距を用いた場合の方が、ピントが良い写真を撮影することができるといわれているが、それは、静止したコントラストが高い被写体の場合に限られる。被写体の状態（動き、形状、色、明るさ）やレリーズタイムラグ（シャッタボタンを押してから撮影されるまでに掛かる時間）などの要因により、撮影記録された画像のピント合せは、コントラスト方式の測距より、位相差方式の測距の方が優れていることが多く、特に動く被写体に対しては位相差方式の測距で撮影した写真の方が、ピントがよい写真が得られる。
【００２７】
また、動きがある被写体に対して、コントラスト方式の測距や、ハイブリット方式の測距を用いて撮影した場合、撮影が不可能となることが多い。
【００２８】
本発明は、かかる従来の問題を解決するためになされたものであり、ピント精度を向上させながら、撮影記録を確実に行うことができるカメラ、撮影記録方法およびプログラムを提供することを目的とする。
【課題を解決するための手段】
【００２９】
本発明は、上記目的を達成するため、第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラにおいて、前記第１の測距手段による測距後、前記第１の測距手段により得られた合焦位置情報に基づいて前記レンズ駆動手段を介して前記撮影レンズを移動し、撮影記録を行う第１の撮影記録手段と、前記第２の測距手段による測距後または測距中に、前記第２の測距手段により得られた合焦位置情報に基づいて前記レンズ駆動手段を介して前記撮影レンズを移動し、撮影記録を行う第２の撮影記録手段と、前記第１の撮影記録手段と前記第２の撮影記録手段との少なくとも一方による撮影記録を実行するように制御する制御手段とを備えることを特徴とするカメラを提供する。
【００３０】
本発明は、上記目的を達成するため、第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラにおいて、前記第１の測距手段による測距後、前記第１の測距手段により得られた合焦位置情報に基づいて前記レンズ駆動手段を介して前記撮影レンズを移動し、撮影記録を行う第１の撮影記録手段と、前記第２の測距手段による測距後または測距中に、前記第２の測距手段により得られた合焦位置情報に基づいて前記レンズ駆動手段を介して前記撮影レンズを移動し、撮影記録を行う第２の撮影記録手段と、前記第１の撮影記録手段により得られた撮影画像と前記第２の撮影記録手段により得られた撮影画像とのうち、いずれか一方の画像を有効な画像として選択する画像選択手段とを備えることを特徴とするカメラを提供する。
【００３１】
本発明は、上記目的を達成するため、第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラの撮影記録方法において、前記第１の測距手段による測距後、前記第１の測距手段により得られた合焦位置情報に基づいて前記レンズ駆動手段を介して前記撮影レンズを移動し、撮影記録を行う第１の撮影記録と、前記第２の測距手段による測距後または測距中に、前記第２の測距手段により得られた合焦位置情報に基づいて前記レンズ駆動手段を介して前記撮影レンズを移動し、撮影記録を行う第２の撮影記録との少なくとも一方を実行するように制御することを特徴とする撮影記録方法を提供する。
【００３２】
本発明は、上記目的を達成するため、第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラの撮影記録方法において、前記第１の測距手段による測距後、前記第１の測距手段により得られた合焦位置情報に基づいて前記レンズ駆動手段を介して前記撮影レンズを移動し、撮影記録を行う第１の撮影記録と、前記第２の測距手段による測距後または測距中に、前記第２の測距手段により得られた合焦位置情報に基づいて前記レンズ駆動手段を介して前記撮影レンズを移動し、撮影記録を行う第２の撮影記録との両方を実行する撮影記録工程と、前記第１の撮影記録により得られた撮影画像と前記第２の撮影記録により得られた撮影画像とのうち、いずれか一方の画像を有効な画像として選択する画像選択工程とを備えることを特徴とする撮影記録方法を提供する。
【００３３】
本発明は、上記目的を達成するため、第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラを制御するためのプログラムにおいて、前記第１の測距手段による測距後、前記第１の測距手段により得られた合焦位置情報に基づいて前記レンズ駆動手段を介して前記撮影レンズを移動し、撮影記録を行う第１の撮影記録と、前記第２の測距手段による測距後または測距中に、前記第２の測距手段により得られた合焦位置情報に基づいて前記レンズ駆動手段を介して前記撮影レンズを移動し、撮影記録を行う第２の撮影記録との少なくとも一方を実行するように制御することを特徴とするプログラムを提供する。
【００３４】
本発明は、上記目的を達成するため、第１の測距手段と、第２の測距手段と、撮影レンズと、前記第１の測距手段および前記第２の測距手段により得られる合焦位置情報に基づいて前記撮影レンズを移動するレンズ駆動手段とを備えるカメラを制御するためのプログラムにおいて、前記第１の測距手段による測距後、前記第１の測距手段により得られた合焦位置情報に基づいて前記レンズ駆動手段を介して前記撮影レンズを移動し、撮影記録を行う第１の撮影記録と、前記第２の測距手段による測距後または測距中に、前記第２の測距手段により得られた合焦位置情報に基づいて前記レンズ駆動手段を介して前記撮影レンズを移動し、撮影記録を行う第２の撮影記録との両方を実行する撮影記録モジュールと、前記第１の撮影記録により得られた撮影画像と前記第２の撮影記録により得られた撮影画像とのうち、いずれか一方の画像を有効な画像として選択する画像選択モジュールとを備えることを特徴とするプログラムを提供する。
【発明の効果】
【００３５】
本発明によれば、ピント精度を向上させながら、撮影記録を確実に行うことができる。
【発明を実施するための最良の形態】
【００３６】
以下、本発明の実施の形態について図面を参照しながら説明する。
【００３７】
（第１の実施の形態）
図１は本発明の第１の実施の形態に係るカメラの内部構成を示す縦断面図、図２は図１のカメラが露光状態にある場合を示す縦断面図である。ここで、図１はカメラがファインダ観察状態にある場合を示す。
【００３８】
本実施の形態のカメラは、図１に示すように、レンズ交換可能な一眼レフタイプのデジタルスチルカメラであり、固体撮像素子１７２により結像された画像を撮像する。また、本カメラは、交換レンズ１として、銀塩フィルムを記録媒体として使用するオートフォーカス一眼レフカメラ用のものを使用することが可能である。
【００３９】
交換レンズ１には、撮影光学系２、撮影光学系２の焦点位置を調節する第１の駆動手段３、およびコントロール回路４が含まれる。交換レンズ１は、カメラ本体５と着脱可能に結合され、交換レンズ１のコントロール回路４とカメラ本体５との間では、電気信号の授受が行われる。
【００４０】
撮影光学系２により捕らえられた被写体像は、中央部がハーフミラーで構成される第１のミラー６によりファインダスクリーン７に導かれる。ファインダスクリーン７は、下面側に拡散面が、上面側にフレネルレンズがそれぞれ形成されているスクリーンからなる。ファインダスクリーン７に導かれた被写体像は、ファインダスクリーン７の拡散面で結像し、フレネルレンズにより集光される。そして、被写体像は、ペンダプリズム８およびファインダレンズ９を通してファインダ像として観察される。
【００４１】
また、ファインダ観察状態においては、第１のミラー６の中央部を透過した一部の光束は、第２のミラー１０によりＡＦセンサ１１に導かれる。ＡＦセンサ１１の出力信号は、第１の合焦評価手段１２に入力され、第１の合焦評価手段１２は、ＡＦセンサ１１の出力信号に基づいて焦点のずれ量を算出する。この算出された焦点のずれ量は、カメラ制御用ＭＣＵ（カメラ制御用マイクロコントローラ）５３１を介して第１の合焦手段１３に入力される。第１の合焦手段１３は、入力された焦点のずれ量に基づいて撮影光学系２の移動量を制御するための制御信号を交換レンズ１のコントロール回路４に送る。コントロール回路４は、上記制御信号に基づいて、第１の駆動手段３を介して撮影光学系２を合焦位置へ移動するように制御する。このような動作による合焦精度は、第１の合焦評価手段１２の検出精度と、撮影光学系２の移動精度に依存する。ここで、得られる精度を撮像面換算で±ｘ１ｍｍとする。
【００４２】
第１のミラー６の後方には、結像光束の通過遮断を制御するためのフォーカルプレーンシャッタ１４が配置されている。露光時には、図２に示すように、第１のミラー６および第２のミラー１０が跳ね上げられ、フォーカルプレーンシャッタ１４が開放される。これにより、撮影光学系２により捕らえられた被写体像は、ＣＣＤなどからなる固体撮像素子１７２上に結像される。固体撮像素子１７２の出力信号は、画像処理手段１８に入力され、画像処理手段１８は、固体撮像素子１７２の出力信号を処理して画像のコントラスト情報を抽出する。また、画像処理手段１８は、固体撮像素子１７２の出力信号に対してホワイトバランス、γ処理、カラーマトリックス処理などの各種処理を施す。これにより、撮影画像データが得られ、この撮影画像データはメモリカードＡ３１３ａまたはメモリカードＢ３１３ｂなどに記憶される。また、撮影画像データは、液晶表示パネルからなるカラーモニタ３０５に表示される。
【００４３】
画像処理手段１８により抽出されたコントラスト情報は、カメラ制御用ＭＣＵ５３１を介して第２の合焦評価手段１９に入力される。第２の合焦評価手段１９は、画像処理手段１８により抽出されたコントラスト情報に基づいて合焦位置評価を行う。この第２の合焦評価手段１９の合焦評価値は、カメラ制御用ＭＣＵ５３１を介して第１の合焦手段１３に入力され、第１の合焦手段１３は、入力された合焦評価値に基づいて撮影光学系２の移動量を制御するための制御信号を交換レンズ１のコントロール回路４に送る。コントロール回路４は、上記制御信号に基づいて、第１の駆動手段３を介して撮影光学系２の位置を調整するように制御する。
【００４４】
次に、画像処理手段１８とカメラ制御用ＭＣＵ５３１の詳細な構成について図３を参照しながら説明する。図３は図１の画像処理手段１８とカメラ制御用ＭＣＵ５３１の詳細な構成を示すブロック図である。
【００４５】
画像処理手段１８は、図３に示すように、固体撮像素子１７２の出力信号をデジタル信号に変換するためのＡ／Ｄ変換器３０２と、Ａ／Ｄ変換器３０２からのデジタル信号を処理する像信号処理ＩＣ３０３と、撮像制御用ＭＣＵ３０４と、フラッシュメモリ３０６と、ＪＰＥＧＩＣ３０７と、ＤＲＡＭ３０８と、シリアルバス３１２を接続するためのシリアルＩ／Ｆ（インタフェース）３０９と、メモリカードＡ３１３ａおよびメモリカードＢ３１３ｂを接続するためのメモリカードＩ／Ｆ３１０とを有する。像信号処理ＩＣ３０３、撮像制御用ＭＣＵ３０４、フラッシュメモリ３０６、ＪＰＥＧＩＣ３０７、ＤＲＡＭ３０８、シリアルＩ／Ｆ３０９、およびメモリカードＩ／Ｆ３１０は、データバス３１１に接続される。
【００４６】
カメラ制御用ＭＣＵ５３１には、レリーズ釦スイッチ５０３およびメインスイッチ５０７が接続されている。カメラ制御用ＭＣＵ５３１内には、カメラ動作を実行するプログラムを格納したＲＯＭ５３１ｂ、変数を記憶するためのＲＡＭ５３１a、補正データやその他のパラメータを記憶するためのＥＥＰＲＯＭ（電気的消去・書込み可能なメモリ：図示せず）が内蔵されている。
【００４７】
カメラ制御用ＭＣＵ５３１は、通信線３２０を介して撮像制御用ＭＣＵ３０４に接続され、この撮像制御用ＭＣＵ３０４はカメラ制御用ＭＣＵ５３１の指示に従ってデジタル画像の撮像動作を制御する。撮像制御用ＭＣＵ３０４による撮像動作の手順は、フラッシュメモリ３０６に予め格納されているプログラムに記述されている。
【００４８】
レリーズ釦スイッチ５０３の押下によるレリーズ動作により、固体撮像素子１７２上に被写体像が結像され、この結像された被写体像は、画像信号に変換される。この画像信号はＡ／Ｄ変換器３０２でデジタル画像データに変換され、このデジタル画像データには、像信号処理ＩＣ３０３により色補間処理やフィルタリング処理などが施される。そして、処理後のデジタル画像データは、データバス３１１を介して、一旦ＤＲＡＭ３０８に格納される。ＤＲＡＭ３０８に格納されたデジタル画像データは、必要に応じてカラーモニタ３０５に表示される。また、デジタル画像データは、ＪＰＥＧＩＣ３０７により圧縮され、メモリカードＩ／Ｆ３１０を介して、着脱可能なメモリカードＡ３１３ａまたはメモリカード３１３ｂに書き込まれる。また、デジタル画像データをシリアルＩ／Ｆ３０９を介してシリアルバス３１２へ出力することによって、ネットワークでの画像データの配布を可能にする。
【００４９】
次に、ファインダレンズ９を介して撮影者が観察するファインダ画面について図４を参照しながら説明する。図４は図１のカメラにおいてファインダレンズ９を介して撮影者が観察するファインダ画面の一例を示す図である。
【００５０】
ファインダレンズ９を介して撮影者が観察するファインダ画面としては、図４に示すような画面がある。この画面には、７つの測距点が表示されている。各測距点は、３行５列の配置に従って配置されている。ここでは、説明上、各測距点には、左上から順にＡ３，Ｂ１〜Ｂ５，Ｃ３の符号が付されている。
【００５１】
また、カメラ本体５には、図示されていないが、特開平７−１９１３６０号公報に記載されているような、撮影者の視線を検知して、測距点を視線で選択する機構が組み込まれている。
【００５２】
次に、このカメラの上面や背面に設けられている操作釦や操作ダイヤルについて図５および図６を参照しながら説明する。図５は図１のカメラの背面図、図６は図５のモードダイヤル５５５の平面図である。
【００５３】
カメラの上部には、図５に示すように、レリーズ釦５５１が設けられており、このレリーズ釦５５１が押下されると、内部にあるレリーズ釦スイッチ５０３がオンになる。また、カメラの上部左側には、撮影の制御方法を選択するモードダイヤル５５５が配置されている。このモードダイヤル５５５は、図６に示すように、平面形状が円形であるダイヤルからなり、このダイヤル上面には、各種モードにそれぞれ対応する図柄が印刷されている。このモードダイヤル５５５を回転させてモードダイヤル５５５上の図柄の１つをカメラ本体１０５上に印刷されたモード指標に一致させることによって、モード指標に一致した図柄に対応する撮影モードが選択される。図６に示す例の場合、モードダイヤル５５５は、電源が切れたロック位置にあり、この状態からモードダイヤル５５５が回転されてモードが選択されると、同時にメインスイッチ５０７がオンになる。
【００５４】
また、カメラ本体５の背面には、右側選択ボタン５５２、左側選択ボタン５５３および不要確定ボタン５５４が設けられている。ここで、これらのボタンの操作に伴う処理内容については、後述する。
【００５５】
次に、本カメラの動作について図７〜図１１を参照しながら説明する。図７は図１のカメラの動作の手順を示すフローチャート、図８は図７のステップＳ１０８の詳細を示すフローチャート、図９は図７のステップＳ１１０の詳細を示すブローチャート、図１０は撮影光学系２の駆動によるコントラスト変化の状態を模式的に示す図、図１１は図７のステップＳ１０５の詳細を示すブローチャートである。ここで、図７に示す手順は、撮像制御用ＭＣＵ３０４によって実行される。
【００５６】
カメラのメインスイッチ５０７がオンになると、図７に示すように、撮像制御用ＭＣＵ３０４は、まず、レリーズ釦スイッチ５０３がオンになるのを待ち（ステップＳ１０１）、レリーズ釦スイッチ５０３がオンになると、ファインダ中の撮影者が見つめている測距点を検出し、検出された測距点を選択する（ステップＳ１０２）。
【００５７】
次いで、撮像制御用ＭＣＵ３０４は、モードダイヤル５５５で選択された撮影モードに応じて、許可する測距方式を選択する（ステップＳ１０３）。例えば、撮影モードが「スポーツモード」の場合は、許可する測距方式として、第１の測距（位相差方式の測距）が選択される。また、撮影モードが「風景モード」の場合は、第２の測距（コントラスト方式の測距）が選択される。また、撮影モードが「全自動」モードの場合、第１の測距と第２の測距の何れも許可するハイブリット式の測距が選択される。
【００５８】
撮影モードとそれに応じて許可される測距方式との詳細な関係は、表１に示される通りであり、この表に従って、選択された撮影モードに応じて許可される測距方式が選択される。
【００５９】
【表１】
2005352163.tif 000003
【００６０】
ここで、ハイブリッド方式の測距が選択された場合、撮像制御用ＭＣＵ３０４は、撮影条件に応じて、撮影記録方式を選択する（ステップＳ１０６）。ここで、現在の撮影モードが「全自動」であり、撮影条件が「動体か、絞りＦ１１以上か、焦点距離３５ｍｍ以下」の場合、第１の測距後、第１の撮影記録を行う記録方式が選択される。これに対し、撮影条件が上記条件以外の場合、第１の測距および第１の撮影記録と、第２の測距および第２の撮影記録とを行う撮影記録方式が選択される。撮影条件と撮影記録方式との関係は、上記表１に示す通りである。
【００６１】
上記ステップＳ１０６において第１の測距および第１の撮影記録と、第２の測距および第２の撮影記録とを行う記録方式が選択された場合、撮像制御用ＭＣＵ３０４は、第１の測距を行う（ステップＳ１０７）。ここで、第１の測距とは、ＡＦセンサ１１を用いた位相差方式の測距をいう。具体的には、第１の合焦評価手段１２により、ＡＦセンサ１１の出力に基づいてピントのズレ量およびその方向が算出され、カメラ制御用ＭＣＵ５３１により、算出されピントのズレ量およびその方向に基づいて、交換レンズ１内のコントロール回路４を通じて、第１の駆動手段３が駆動される。これにより、撮影光学系２が合焦すると計算された位置まで繰出し移動される。さらに、もう一度、ＡＦセンサ１１を用いて、ピントが合焦範囲内に入っているかの確認の測距が行われ、まだずれている場合は、さらに撮影光学系２を微調整することにより、合焦が行われる。
【００６２】
次いで、撮像制御用ＭＣＵ３０４は、第１の撮影記録を行う（ステップＳ１０８）。この第１の撮影記録においては、具体的には、図８に示すように、まず交換レンズ１内の絞り（図示せず）が、設定された値まで絞り込まれ（ステップＳ１０８１）、第１のミラー６が光路から退避される（ステップＳ１８０２）。次いで、フォーカルプレーンシャッタ１４が開かれ（ステップＳ１０８３）、電子シャッタが作動される（ステップＳ１０８４）。そして、固体撮像素子１７２への電気制御的露光が終了する。この固体撮像素子１７２の出力信号は、上述した画像処理方法でデジタル画像データに変換され、このデジタル画像データは、メモリカードＡ３１３ａに記録される（ステップＳ１０８５）。ここで、退避された第１のミラー６は、次のステップＳ１０９で第２の測距を行うので、復帰されず、退避された状態に保持される。
【００６３】
次いで、撮像制御用ＭＣＵ３０４は、第２の測距を行う（ステップＳ１０９）。ここで、第２の測距とは、コントラスト方式の測距をいう。この測距においては、交換レンズ１内の絞りが予めコントラスト方式の測距用に設定されている値まで絞り込まれ、固体撮像素子１７２に被写体像が結像されている状態となる。
【００６４】
そして、以下のようにコントラスト式測距（山登りＡＦ）が行われる。
（Ａ１）固体撮像素子１７２から、画角中で、測距点の位置に対応した部分の画像の高速読出しが行われる。
（Ａ２）画像処理手段１８による画像のコントラスト情報の抽出が行われる。
（Ａ３）第２の合焦評価手段１９による画像のコントラスト情報の評価および記憶が行われる。前回の評価値がある場合には前回の評価値との比較が行われ、無い場合には評価値の記憶が行われる。
（Ａ４）第１の駆動手段３により撮影光学系２が合焦位置に移動される。
【００６５】
上記（Ａ１）〜（Ａ３）により画像のコントラストのピーク位置が検出され、その位置が合焦位置として該位置に撮影光学系２が異動される。この場合、山登りＡＦのためのサーチは、撮像面換算で±ｘ２ｍｍ（ｘ２≧ｘ１）の範囲を△ｘｍｍ（△ｘ＜１／２（ｘ１））ステップで行われる。±ｘ２ｍｍの範囲のサーチで評価値に有効な変動がなかったときには、予め決められた位置に撮影光学系２の合焦位置が設定される。図１０に、撮影光学系２の駆動によるコントラスト変化の状態を模式的に示す。
【００６６】
そして、合焦後、撮像制御用ＭＣＵ３０４は、第２の撮影記録を行う（ステップＳ１１０）。この第２の撮影記録においては、撮影画像データがメモリカードＢ３１３ｂに記録される。具体的には、図９に示すように、一旦、フォーカルプレーンシャッタ１４が閉じられ（ステップＳ１１０１）、撮影用に設定されている絞り値まで絞りが絞り込まれる（ステップＳ１１０２）。そして、再びフォーカルプレーンシャッタ１４が開かれ、固体撮像素子１７２への露光が開始される（ステップＳ１１０３）。次いで、電子シャッタが作動され、固体撮像素子１７２への電気制御的露光が終了する（ステップＳ１１０４）。この固体撮像素子１７２により撮像された画像は、上述した画像処理方法でデジタル画像データへ変換され、このデジタル画像データは、メモリカードＢ３１３ｂに記録される（ステップＳ１１０５）。そして、カメラをファインダ観察状態に戻すために、フォーカルプレーンシャッタ１４が閉られ（ステップＳ１１０６）、第１のミラー６が光路内に復帰され（ステップＳ１１０７）、絞りが開放状態に戻される（ステップＳ１１０８）。そして、撮像制御用ＭＣＵ３０４は、本処理を終了する。
【００６７】
上記ステップＳ１０３において第１の測距が選択された場合、撮像制御用ＭＣＵ３０４は、上記ステップＳ１０７と同様に第１の測距を行い（ステップＳ１０４）、続いて、第１の撮影記録を行う（ステップＳ１０５）。ここで、第１の撮影記録においては、具体的には、図１１に示すように、まず交換レンズ１内の絞り（図示せず）が設定された値まで絞り込まれ（ステップＳ１０５１）、第１のミラー６および第２のミラー１０が光路から退避される（ステップＳ１０５２）。次いで、フォーカルプレーンシャッタ１４が開かれ（ステップＳ１０５３）、電子シャッタが作動される（ステップＳ１０５４）。そして、固体撮像素子１７２への電気制御的露光が終了する。この固体撮像素子１７２の出力信号は、上述した画像処理方法でデジタル画像データに変換され（ステップＳ１０５５）、フォーカルプレーンシャッタ１４が閉じられる（ステップＳ１０５６）。そして、このデジタル画像データは、メモリカードＡ３１３ａに記録される（ステップＳ１０５７）。このようにして第１の撮影記録が終了すると、撮像制御用ＭＣＵ３０４は、本処理を終了する。
【００６８】
上記ステップＳ１０３において第２の測距が選択された場合、撮像制御用ＭＣＵ３０４は、第２の測距を行う（ステップＳ１１３）。この第２の測距においては、第１のミラー６および第２のミラー１０が光路から退避された後は、上記ステップＳ１０９と同様の動作が行われる。続いて、撮像制御用ＭＣＵ３０４は、上記ステップＳ１１０と同様の第２の撮影記録を行う（ステップＳ１１４）。そして、撮像制御用ＭＣＵ３０４は、本処理を終了する。
【００６９】
上記ステップＳ１０６において第１の測距後に第１の撮影記録を行う撮影記録方式が選択されると、撮像制御用ＭＣＵ３０４は、第１の測距を行う（ステップＳ１１１）。この第１の測距は、上記ステップＳ１０４での第１の測距と同じであるので、その説明は省略する。次いで、撮像制御用ＭＣＵ３０４は、第１の撮影記録を行う（ステップＳ１１２）。この第１の撮影記録は、上記ステップＳ１０５での第１の撮影記録と同じであるので、その説明は省略する。そして、撮像制御用ＭＣＵ３０４は、本処理を終了する。
【００７０】
本実施の形態の合焦動作の精度および範囲関係は、以下のようになる（図１０参照）。
（Ｂ１）第１の測距
焦点調節範囲        被写体距離無限遠〜至近距離（０．５ｍ程度）
像面換算ｘ１（交換レンズ１０１に依存）
合焦検出精度        像面  ±１／２ｘ１ｍｍ
焦点調節分解能      像面  １／２ｘ１ｍｍ
保証合焦精度        像面  ±ｘ１ｍｍ以内
（Ｂ２）第２の測距
焦点調節範囲        像面  ±ｘ２ｍｍ（ｘ２≧ｘ１）
合焦検出分解能      コントラストピークに依存する
焦点調節分解能      像面  △ｘｍｍ（△ｘ＜１／２ｘ１）
保証合焦精度        ±△ｘｍｍ以内
上記に示されているように、第１の測距に関しては、焦点調節範囲が広い代わりに焦点調節分解能が必要最小限となる。この効果により、第１の測距は、十分に高速な動作が可能となる。一方、第２の測距においては、第１の測距の結果に基づいて、コントラストピークがあると思われる位置を中心に焦点調節範囲が±ｘ２ｍｍに限定される代わりに、焦点調節分解能が十分に細かい△ｘｍｍに設定される。この効果により、第２の測距は、作動範囲が狭いので、高速動作が可能で、かつ十分に細かい精度で合焦調節を行うことが可能である。従って、この構成によれば、第１の測距に用いられるレンズ駆動機構とＡＦセンサ１１としては、従来の銀塩フィルムを使用したオートフォーカス一眼レフカメラと同じものを使用することが可能となる。また、第２の測距を行うためのセンサ出力のコントラスト検知により、第１の測距にどのようなセンサを使用したとしても、より高精度な合焦精度を得ることが可能である。
【００７１】
このように、本実施の形態によれば、モードダイヤル５５５による撮影モードの選択結果に基づいて測距方式が自動で選択されるので、撮影者の操作を簡略化することができるとともに、確実な測距方式を選択することが可能である。その結果、ピント精度を向上させながら、撮影記録を確実に行うことができる。
【００７２】
また、被写体が動体であるか否か、絞り値、または取り付けれている撮影レンズの焦点距離に基づいて撮影記録方式が自動的に選択されるので、撮影者の操作の簡略化と、確実な撮影記録方式の選択とが可能になる。
【００７３】
（第２の実施の形態）
次に、本発明の第２の実施の形態について図１２〜図２３を参照しながら説明する。図１２および図１３は本発明の第２の実施の形態に係るカメラにおけるカメラの動作の手順を示すフローチャート、図１４は本発明の第２の実施の形態に係るカメラによりスナップ写真撮影を行う場合の構図の一例を示す図、図１５はスナップ写真撮影の場合の第１の撮影記録（ステップＳ２０４）により得られた撮影画像の一例を示す図、図１６はスナップ写真撮影の場合の第２の撮影記録（ステップＳ２０６）により得られた撮影画像の一例を示す図、図１７（ａ）はメモリカードＡ３１３ａにおける画像データの格納構造の一例を示す図、図１７（ｂ）はメモリカードＢ３１３ｂにおける画像データの格納構造の一例を示す図、図１８は図１３のステップＳ２１０の画像の選別結果の表示例を示す図、図１９は本発明の第２の実施の形態に係るカメラにより連続撮影を行う場合の構図の一例を示す図、図２０は連続撮影の場合の第１の撮影記録（ステップＳ２０４）により得られた撮影画像の一例を示す図、図２１は連続撮影の場合の第２の撮影記録（ステップＳ２０６）により得られた撮影画像の一例を示す図、図２２は図１３のステップＳ２０９におけるカラーモニタ３０５の画像表示例を示す図、図２３はメモリカードＡ３１３ａにおける画像データの格納構造の他の例を示す図である。
【００７４】
ここで、本実施の形態は、上記第１の実施の形態と同じ構成（図１〜図６を参照）を有し、同一ブロックまたは部材には同一符号を付し、その説明は省略する。
【００７５】
本実施の形態においては、上記第１の実施の形態に対して、モードダイヤル５５５により選択された撮影モードに関わらず、第１の測距、第１の撮影記録、第２の測距、第２の撮影記録を行う点で異なる。また、レリーズ釦５５１が連続的に押されている間は、撮影が連続して続けられ、レリーズ釦５５１が瞬間的に押された場合は、一回の撮影シーケンスのみが行われる点で異なる。また、撮影画像の一時記憶場所が異なり、撮影が連続撮影か１回撮影かに応じて、ＤＲＡＭ３０８とメモリカードＡ３１３ａが使い分けられる。
【００７６】
次に、本実施の形態のカメラの動作について図１２および図１３を参照しながら説明する。図１２および図１３は本発明の第２の実施の形態に係るカメラにおけるカメラの動作の手順を示すフローチャートである。
【００７７】
まず、スナップ写真撮影の場合の一連の動作について説明する。撮像制御用ＭＣＵ３０４は、図１２に示すように、まずレリーズ釦スイッチ５０３がオンになるのを待ち（ステップＳ２０１）、レリーズ釦スイッチ５０３がオンになると、ファインダ中の撮影者が見つめている測距点を検出し、検出された測距点を選択する（ステップＳ２０２）。ここでは、例えば図１４に示すような構図になるようにカメラが被写体に対して向けられているものとし、ファインダ中の撮影者が見つめている測距点として、測距点Ａ３（図５を参照）が検出されたとする。この測距点Ａ３は、被写体人物の目の位置に対応する測距点である。
【００７８】
次いで、撮像制御用ＭＣＵ３０４は、第１の測距を行う（ステップＳ２０３）。この第１の測距は、ＡＦセンサ１１を用いた位相差方式の測距であり、その内容は上述した通りである。続いて、撮像制御用ＭＣＵ３０４は、第１の撮影記録を行う（ステップＳ２０４）。この第１の撮影記録においては、フォーカルプレーンシャッタ１４が開閉され、撮影が行われる。そして、撮影画像データがＤＲＡＭ３０８に一時的に保存される。ここでは、例えば図１５に示すように、撮影画像データは、「CDSC0203MAIN.jpg」が一時記憶時のファイル名称として付されて、保存される。
【００７９】
次いで、撮像制御用ＭＣＵ３０４は、第２の測距を行う（ステップＳ２０５）。この第２の測距は、固体撮像素子１７２に結像された像を用いたコントラスト方式の測距である。続いて、撮像制御用ＭＣＵ３０４は、第２の撮影記録を行う（ステップＳ２０６）。この第２の撮影記録においては、例えば図１６に示すように、撮影画像データには、一時記憶時のファイル名「CDSC0203SUB.jpg」が付され、ＤＲＡＭ３０８に一時的に保存される。
【００８０】
次いで、撮像制御用ＭＣＵ３０４は、レリーズ釦スイッチ５０３がオフ状態へ移行したか否かを判定する（ステップＳ２０７）。ここでは、撮影がスナップ写真撮影であるので、レリーズ釦スイッチ５０３がオフ状態へ移行する。このレリーズ釦スイッチ５０３のオフにより、撮像制御用ＭＣＵ３０４は、ＤＲＡＭ３０８に一時的に記憶されたファイル名「CDSC0203MAIN.jpg」の画像とファイル名の「CDSC0203SUB.jpg」の画像とのそれぞれにおける測距点Ａ３の中心画像のコントラスト分布を比較し、この比較結果に基づいてそれぞれの撮影された被写体の構図（被写体の配置）が同一であるか否かを判別する（ステップＳ２０８）。
【００８１】
上記ステップＳ２０８において撮影された被写体の構図（被写体の配置）が同一であると判別された場合、撮像制御用ＭＣＵ３０４は、ＤＲＡＭ３０８に一時的に保存されているファイル名「CDSC0203MAIN.jpg」の画像とファイル名「CDSC0203SUB.jpg」の画像とのそれぞれにおける測距点Ａ３の中心画像のコントラストを比較し、この比較結果に基づいて画像の選別を行う（ステップＳ２１０）。具体的には、２枚の画像が、コントラストが高い画像とコントラストが低い画像とに選別され、この選別結果は、カメラ本体５の背面に設けられたカラーモニタ３０５に表示される。例えば図１８に示すように、２枚の画像が、撮影時に選択されていた測距点Ａ３の中心で拡大され、左右に並べられて表示される。また、このときの測距点Ａ３は、矩形枠としてハイライト表示される。そして、コントラストが高い画像として、「CDSC0203SUB.jpg」の画像が選別されたことを示すために、この画像は「Good AF」が付されて表示される。また、コントラストが低い画像として、「CDSC0203MAIN.jpg」の画像が選別されたことを示すために、この画像は「Bad AF」が付されて表示される。
【００８２】
次いで、撮像制御用ＭＣＵ３０４は、コントラストが高い画像として選別された画像を、その名称を変更してメモリカードＡ３１３ａに記録する（ステップＳ２１１）。図１８の例の場合、コントラストが高い画像の名称「CDSC0203SUB.jpg」は、「CDSC0203.jpg」に変更される。続いて、撮像制御用ＭＣＵ３０４は、コントラストが低い画像として選別された画像を、その名称を変更してメモリカードＢ３１３ｂに記録する（ステップＳ２１２）。図１８の例の場合、コントラストが低い画像の名称「CDSC0203MAIN.jpg」は、それが悪い画像であると分かるような名称例えば「CDSC0203BAD.jpg」に変更される。そして、撮像制御用ＭＣＵ３０４は、本処理を終了する。
【００８３】
上記の場合、メモリカードＡ３１３ａには、図１７（ａ）に示すように、コントラストが高い画像を格納するための名称「CDS200GOOD」のフォルダが作成されている。このフォルダには、コントラストが高い画像として選別された画像例えば「CDSC0203.jpg」の画像が格納されている。そして、この「CDSC0203.jpg」の画像に対応付けられる付帯情報として、撮影日時「2003/06/12 13：20：03」と、連続して撮影された他方の画像（コントラストが低い画像「CDSC0203BAD.jpg」）が記録されているメモリカード名「Ｂ」と、その画像の名称（ファイル名）「CDSC0203BAD.jpg」とが記録されている。
【００８４】
メモリカードＢ３１３ｂには、図１７（ｂ）に示すように、コントラストが低い画像を格納するための名称「CDS200BAD」のフォルダが作成されている。このフォルダには、コントラストが低い画像として選別された画像例えば「CDSC0203BAD.jpg」の画像が格納されている。そして、この「CDSC0203BAD.jpg」の画像に対応付けられる付帯情報として、撮影日時「2003/06/12 13：20：02」と、連続して撮影された他方の画像（コントラストが高い画像「CDSC0203.jpg」）が記録されているメモリカード名「Ａ」と、その画像の名称「CDSC0203.jpg」とが記録されている。
【００８５】
次に、例えば運動会の走者など動体を連続撮影する場合の一連の動作について説明する。ここでは、例えば図１９に示すような構図が得られるように運動会の走者にカメラが向けられているものとする。また、走者の目の位置に対応する測距点Ａ３が選択されているものとする。そして、第１の測距（ステップＳ２０３）、第１の撮影記録（ステップＳ２０４）、第２の測距（ステップＳ２０５）、第２の撮影記録（ステップＳ２０６）が行われる。ここで、第１の撮影記録により撮影された画像は、「CDSC0204MAIN.jpg」という名称が付されてＤＲＡＭ３０８に一時的に保存される。この画像は、図２０に示すように、図１９に示す構図とほぼ同様の画像であり、ピント位置も位相差方式の精度限界内で走者の目に合わせられている。第２の撮影記録により撮影された画像は、「CDSC0204SUB.jpg」という名称が付されてＤＲＡＭ３０８に一時的に保存される。この画像は、図２１に示すように、第１の撮影記録から時間が経過しているので、図２０に示す構図とは異なり、ピントが走者の後方の建物にコントラスト方式の高精度で合焦している状態のものである。
【００８６】
次いで、撮像制御用ＭＣＵ３０４は、レリーズ釦スイッチ５０３がオフ状態へ移行したか否かを判定する（ステップＳ２０７）。ここでは、撮影が連続撮影であるので、レリーズ釦スイッチ５０３がオンに保持された状態にある。よって、撮像制御用ＭＣＵ３０４は、既に一時的に保存されている「CDSC0204MAIN.jpg」の画像と「CDSC0204SUB.jpg」の画像をそれぞれの名称を変えることなく、メモリカードＡ３１３ａに転送し、記録する。これは、連続撮影（連写）が行われているので、撮影された画像をＤＲＡＭ３０８にのみ保存すると、連続撮影途中で、ＤＲＡＭ３０８の記憶容量が不足する可能性があるからである。
【００８７】
次いで、撮像制御用ＭＣＵ３０４は、ステップＳ２０２に戻り、次の撮影を行う。この次の撮影において、第１の撮影記録により撮影された画像は、「CDSC0205MAIN.jpg」という名称が付されてＤＲＡＭ３０８に一時的に保存される。また、第２の撮影記録により撮影された画像は、「CDSC0205SUB.jpg」という名称が付されてＤＲＡＭ３０８に一時的に保存される。そして、さらに次の撮影が行われる場合、「CDSC0205MAIN.jpg」の画像と「CDSC0205SUB.jpg」の画像は、それぞれの名称を変えることなく、メモリカードＡ３１３ａに転送されて記録される。
【００８８】
そして、上記ステップＳ２０７においてレリーズ釦スイッチ５０３がオフ状態へ移行したと判定された場合すなわち連続撮影が終了した場合、撮像制御用ＭＣＵ３０４は、メモリカードＡ３１３ａまたはＤＲＡＭ３０８に一時的に保存されている第１の撮影記録により撮影された画像とそれに対応する第２の撮影記録により撮影された画像とのそれぞれにおける測距点の中心画像のコントラスト分布を比較し、この比較結果に基づいてそれぞれの撮影された被写体の構図（被写体の配置）が同一であるか否かを判別する（ステップＳ２０８）。ここで、例えばメモリカードＡ３１３ａに一時的に保存されている「CDSC0204MAIN.jpg」の画像と「CDSC0204SUB.jpg」の画像との比較においては、図２０と図２１に示すように、両者は大きく異なるので、これらの２枚の画像は互い異なる画像であると判別される。さらに、比較すべき画像がある場合、それらの画像についても同一であるか否かの比較が行われる。ここでは、比較すべき画像として、ＤＲＡＭ３０８に一時的に保存されている「CDSC0205MAIN.jpg」の画像と「CDSC0205SUB.jpg」の画像があるので、同様に、これらの画像の比較が行われ、これらの２枚の画像は互い異なる画像であると判別される。
【００８９】
次いで、撮像制御用ＭＣＵ３０４は、上記ステップＳ２０８の判別結果をカメラ本体５の背面に設けられたカラーモニタ３０５に表示する（ステップＳ２０９）。例えば図２２に示すように、対応する２枚の画像が、撮影時に選択されていた測距点Ａ３の中心で拡大され、左右に並べられて表示される。また、このときの測距点Ａ３は、矩形枠としてハイライト表示される。さらに、各画像の下には「１枚目」、「２枚目」と撮影順序を示す表示が行われる。
【００９０】
次いで、撮像制御用ＭＣＵ３０４は、撮影者による選択操作に応じて、カラーモニタ３０５に表示されている２枚の画像を不要画像と必要画像とに分別する（ステップＳ２１４）。これは、カメラ側が自動的に２枚の画像のうち、いずれが必要な画像であるかを判断することができず、撮影者が手動操作により不要な画像を選択する必要があるからである。例えば図２２に示すような場合、撮影者は、カラーモニタ３０５に拡大表示された２枚の画像を見て、ピンボケである右側の「CDSC0204SUB.jpg」の画像を不要と判断し、右側選択択ボタン５５２を押す。そして、撮影者は、不要確定ボタン５５４を押す。この一連の操作により、「CDSC0204SUB.jpg」の画像が不要画像として分別される。この際に、左側選択択ボタン５５３が押されていなければ、「CDSC0205MAIN.jpg」の画像は、必要画像として分別される。
【００９１】
また、連続撮影された「CDSC0205MAIN.jpg」の画像と「CDSC0205SUB.jpg」の画像に関しても、「CDSC0205SUB.jpg」の画像が不要な画像として撮影者により選択される。
【００９２】
次いで、撮像制御用ＭＣＵ３０４は、撮影者が必要画像として選択した画像を、その名称を変えてメモリカードＡ３１３ａに記録する（ステップＳ２１５）。例えば、必要画像として分別された「CDSC0204MAIN.jpg」の画像は、その名称が「CDSC0204.jpg」に変更されて、メモリカードＡ３１３ａに記録される。同様に、「CDSC0205MAIN.jpg」の画像は、その名称が「CDSC0205.jpg」に変更されて、メモリカードＡ３１３ａに記録される。
【００９３】
次いで、撮像制御用ＭＣＵ３０４は、撮影者が不要画像として選択した画像を、その名称を変えてメモリカードＢ３１３ｂに記録する（ステップＳ２１６）。例えば撮影者が不要と判断した「CDSC0204SUB.jpg」の画像は、その名称が悪い画像であると分かるような名称例えば「CDSC0204BAD.jpg」に変更されて、メモリカードＢ３１３ｂに記録される。同様に、「CDSC0205SUB.jpg」の画像は、その名称が「CDSC0205BAD.jpg」に変更されて、メモリカードＢ３１３ｂに記録される。そして、撮像制御用ＭＣＵ３０４は、本処理を終了する。
【００９４】
上述した撮影者により必要画像として選択された画像例えば「CDSC0204.jpg」の画像は、図１７（ａ）に示すように、メモリカードＡ３１３ａ中の「CDSC200GOOD」のフォルダに格納され、その画像の付帯情報として、撮影日時「2003/06/13 13：22：35」と、連続して撮影されたもう一方の画像（不要画像として選択された画像）が記録されているメモリカード名「Ｂ」と、その画像の名称「CDSC0204BAD.jpg」とが記録されている。
【００９５】
また、撮影者により不要画像として選択された画像例えば「CDSC0204BAD.jpg」の画像は、図１７（ｂ）に示すように、メモリカードＢ３１３ｂ中の「CDSC200BAD」のフォルダに格納され、その画像の付帯情報として、撮影日時「2003/06/13 13：22：36」と、連続して撮影されたもう一方の画像（必要画像として選択された画像）が記録されているメモリカード名「Ａ」と、その画像の名称「CDSC0204.jpg」とが記録されている。
【００９６】
また、同様に、「CDSC0205.jpg」の画像、「CDSC0205BAD.jpg」の画像に関しても、それぞれの画像が、メモリカードＡ３１３ａ内の「CDSC200GOOD」のフォルダ、メモリカードＢ３１３ｂ内の「CDSC200BAD」のフォルダにそれぞれ格納され、また、それぞれの付帯情報が記録されている。
【００９７】
なお、本実施の形態においては、不要画像として分別された画像を、メモリカードＢ３１３ｂに記録するようにしているが、図２３に示すように、１つのメモリカードＡ３１３ａ内に、良い画像（コントラストが高い画像または必要画像として選択された画像）が格納される「CDSC200GOOD」のフォルダと、悪い画像（コントラストが低い画像または不要画像として選択された画像）が格納される「CDSC200BAD」のフォルダとをそれぞれ作成し、良い画像を「CDSC200GOOD」のフォルダに、悪い画像を「CDSC200BAD」のフォルダにそれぞれ格納するようにしてもよい。
【００９８】
また、上記良い画像のみを例えばメモリカードＡ３１３ａ内に格納するようにし、悪い画像を自動的に消去するようにしてもよい。
【００９９】
このように、本実施の形態によれば、ピント精度を向上させながら、撮影記録を確実に行うことができる。
【０１００】
また、撮像制御用ＭＣＵ３０４によりピントが良い画像と悪い画像を自動的に判別する際も、カラーモニタ３０５にその判別結果が表示されるので、撮影者が判断結果を目で確かめることが可能である。
【０１０１】
また、ピントが良い画像と悪い画像をメモリカードに記録する際に、良い画像の付帯情報として、対応する悪い画像の格納先のメモリカード名およびその画像の名称を、悪い画像の付帯情報として、対応する良い画像の格納先のメモリカード名およびその画像の名称をそれぞれ記録するので、撮影後、対応する画像の検索を容易に行うことができる。
【０１０２】
さらに、撮影画像を最終保存する際に、その名称（ファイル名）を、一時保存した際の名称から、画像の良し悪しが判別し易い名称に変更するので、撮影後における画像の検索を容易にすることができる。
【０１０３】
（第３の実施の形態）
次に、本発明の第３の実施の形態について図２４を参照しながら説明する。図２４は本発明の第３の実施の形態に係るカメラの概略構成を示すブロック図である。
【０１０４】
本実施の形態は、図２４に示すように、上記第１の実施の形態に対し、第２のミラー１０がなく、位相差方式の第１の測距に用いられるＡＦセンサ１１に代えて外部アクティブ方式のＡＦセンサ６１１が設けられている点で異なる。
【０１０５】
この外部アクティブ方式のＡＦセンサ６１１は、投光部６１１ａおよび受光部６１１ｂを有し、投光部６１１ａから被写体に向けて測距用の赤外光が投光され、被写体からの反射光が受光部６１１ｂで受光される。そして、三角測量の原理に基づいて被写体までの距離が測定（測距）される。
【０１０６】
本実施の形態は、上記第１の実施の形態とほぼ同様の手順で動作する。ただし、図７に示すフローチャートにおいて、上記ステップＳ１０４，ステップＳ１０７，ステップＳ１１１の第１の測距には、外部アクティブ方式のＡＦセンサ６１１が用いられる。ここでは、ＡＦセンサ６１１の投光部６１１ａから被写体に向けて赤外光が投光される。そして、被写体からの反射光が受光部６１１ｂで受光され、受光部６１１ｂの受光面内の赤外光が入射した位置が、第１の合焦評価手段１２により演算され、三角測量の原理に従って、被写体までの距離が求められる。
【０１０７】
また、この外部アクティブ方式のＡＦセンサ６１１の代わりに、外部パッシブ方式のＡＦセンサを用いてもよい。
【０１０８】
このように、本実施の形態によれば、外部アクティブ方式のＡＦセンサ６１１が用いられているので、被写体が薄暗くても測距可能となる。
【０１０９】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。
【０１１０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしてもよい。
【０１１１】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【０１１２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【図面の簡単な説明】
【０１１３】
【図１】本発明の第１の実施の形態に係るカメラの内部構成を示す縦断面図である。
【図２】図１のカメラが露光状態にある場合を示す縦断面図である。
【図３】図１の画像処理手段１８とカメラ制御用ＭＣＵ５３１の詳細な構成を示すブロック図である。
【図４】図１のカメラにおいてファインダレンズ９を介して撮影者が観察するファインダ画面の一例を示す図である。
【図５】図１のカメラの背面図である。
【図６】図５のモードダイヤル５５５の平面図である。
【図７】図１のカメラの動作の手順を示すフローチャートである。
【図８】図７のステップＳ１０８の詳細を示すフローチャートである。
【図９】図７のステップＳ１１０の詳細を示すブローチャートである。
【図１０】撮影光学系２の駆動によるコントラスト変化の状態を模式的に示す図である。
【図１１】図７のステップＳ１０５の詳細を示すブローチャートである。
【図１２】本発明の第２の実施の形態に係るカメラにおけるカメラの動作の手順を示すフローチャートである。
【図１３】本発明の第２の実施の形態に係るカメラにおけるカメラの動作の手順を示すフローチャートである。
【図１４】本発明の第２の実施の形態に係るカメラによりスナップ写真撮影を行う場合の構図の一例を示す図である。
【図１５】スナップ写真撮影の場合の第１の撮影記録（ステップＳ２０４）により得られた撮影画像の一例を示す図である。
【図１６】スナップ写真撮影の場合の第２の撮影記録（ステップＳ２０６）により得られた撮影画像の一例を示す図である。
【図１７】（ａ）はメモリカードＡ３１３ａにおける画像データの格納構造の一例を示す図、（ｂ）はメモリカードＢ３１３ｂにおける画像データの格納構造の一例を示す図である。
【図１８】図１３のステップＳ２１０の画像の選別結果の表示例を示す図である。
【図１９】本発明の第２の実施の形態に係るカメラにより連続撮影を行う場合の構図の一例を示す図である。
【図２０】連続撮影の場合の第１の撮影記録（ステップＳ２０４）により得られた撮影画像の一例を示す図である。
【図２１】連続撮影の場合の第２の撮影記録（ステップＳ２０６）により得られた撮影画像の一例を示す図である。
【図２２】図１３のステップＳ２０９におけるカラーモニタ３０５の画像表示例を示す図である。
【図２３】メモリカードＡ３１３ａにおける画像データの格納構造の他の例を示す図である。
【図２４】本発明の第３の実施の形態に係るカメラの概略構成を示すブロック図である。
【図２５】従来のＴＴＬ位相差方式の測距システムを用いた電子カメラの構成を示すブロック図である。
【図２６】従来の位相差方式の測距システムにおけるハーフミラーからＡＦ光学系に至るまでの構成例を示す模式図である。
【図２７】図２６の位相差方式測距システムにおける測距の原理を説明するための信号の一例を示す図である。
【図２８】従来のコントラスト方式の測距システムを用いた電子カメラの構成例を示すブロック図である。
【図２９】図２８のコントラスト方式の測距システムにおけるレンズ位置対輝度信号高域成分特性曲線の一例を示す図である。
【符号の説明】
【０１１４】
１  交換レンズ
２  撮影光学系
５  カメラ本体
１１  ＡＦセンサ
１２  第１の合焦評価手段
１３  第１の合焦手段
１８  画像処理手段
１９  第２の合焦評価手段
３０４  撮像制御用ＭＣＵ
３０５  カラーモニタ
３０６  フラッシュメモリ
３０８  ＤＲＡＭ
３１３ａ，３１３ｂ  メモリカード
５３１  カメラ制御用ＭＣＵ
６１１  外部ＡＦセンサ
【図１】
2005352163.tif 000004
【図２】
2005352163.tif 000005
【図３】
2005352163.tif 000006
【図４】
2005352163.tif 000007
【図５】
2005352163.tif 000008
【図６】
2005352163.tif 000009
【図７】
2005352163.tif 000010
【図８】
2005352163.tif 000011
【図９】
2005352163.tif 000012
【図１０】
2005352163.tif 000013
【図１１】
2005352163.tif 000014
【図１２】
2005352163.tif 000015
【図１３】
2005352163.tif 000016
【図１４】
2005352163.tif 000017
【図１５】
2005352163.tif 000018
【図１６】
2005352163.tif 000019
【図１７】
2005352163.tif 000020
【図１８】
2005352163.tif 000021
【図１９】
2005352163.tif 000022
【図２０】
2005352163.tif 000023
【図２１】
2005352163.tif 000024
【図２２】
2005352163.tif 000025
【図２３】
2005352163.tif 000026
【図２４】
2005352163.tif 000027
【図２５】
2005352163.tif 000028
【図２６】
2005352163.tif 000029
【図２７】
2005352163.tif 000030
【図２８】
2005352163.tif 000031
【図２９】
2005352163.tif 000032